(57)【要約】【課題】組み立て中に表裏裏返すことなく、蛍光管ＥＦＬの給電ケーブルを容易に引き回しできるようにしたバックライト構造体を具備した液晶表示装置を提供する。【解決手段】モールドフレームの並行する一対の辺の一方の２辺の下側に、複数の冷陰極蛍光管ＥＦＬの両端にある電極をそれぞれ保持する複数の端子ＴＭを有する給電電極ＴＭＢを備えた一対のサイドモールドフレームＳＭＬを有する。サイドモールドフレームＳＭＬには、上側が開放し、給電電極ＴＭＢに一端を接続してバックライト構造体の外側に設置される電源基板に至る給電ケーブルＣＢＬ１、ＣＢＬ２を収納するケーブル引き回し部ＣＢＷを形成する。【選択図】図２
2008032954.tif 000002
【特許請求の範囲】
【請求項１】
液晶表示パネルと、該液晶表示パネルの背面に設置したバックライト構造体とから構成される液晶表示装置であって、
前記バックライト構造体は、
裏面プレートと枠状のモールドフレームの間に、並列に配置された複数の外部電極蛍光管と、
当該外部電極蛍光管を電気的に並列に接続する給電端子を備えたサイドモールドフレームと、
前記給電端子と前記外部電極蛍光管を制御するインバータ基板回路とを接続する給電ケーブルと、
前記モールドフレーム側に開口がある溝と、前記インバータ回路基板側への開口を有するケーブル引き回し部を有し、
前記給電ケーブルは、前記給電端子に一端を接続され、前記ケーブル引き回し部内の溝に勘合され、前記開口を経て前記インバータ回路基板へ至るように設置されることを特徴とする液晶表示装置。
【請求項２】
請求項１において、
前記サイドモールドフレームの前記ソケット端子部と外部電極蛍光管を、その上方から覆うと共に、隣接する前記外部電極蛍光管の間に介挿する櫛歯を有する間隔規制板を有することを特徴とする液晶表示装置。
【請求項３】
請求項１において、
前記インバータ回路基板は、前記裏面プレートの前記液晶表示パネル搭載面の裏面に設置されていることを特徴とする液晶表示装置。
【請求項４】
請求項１において、
前記給電端子は、前記複数の外部電極蛍光管の外部電極部分を両側から挟持して固定する複数のソケット端子部を備えることを特徴とする液晶表示装置。
【請求項５】
請求項１において、
前記給電ケーブルの他端に、前記インバータ回路基板に接続するためのコネクタを有することを特徴とする液表示装置。
【請求項６】
請求項１において、
前記サイドモールドフレームは、前記モールドフレームの二辺に沿って設置されることを特徴とする液表示装置。
【請求項７】
請求項６において、
前記ケーブル引き回し部は、前記サイドモールドフレームに一体形成されることを特徴とする液表示装置。
【発明の詳細な説明】
【技術分野】
【０００１】
本発明は、液晶表示装置に係り、特に、外部電極蛍光管（External Electrode Fluorescent Lamp：ＥＥＦＬ）を用いたバックライト構造体に関する。
【背景技術】
【０００２】
テレビや情報端末のディスプレイデバイスとして、液晶表示装置が広く普及している。通常、この種の比較的サイズが大きく、画面の高輝度が要求される液晶表示装置では、その補助照明装置であるバックライト構造体は液晶表示パネルの背面に複数の線状光源を配列して当該線状光源からの光を液晶表示パネルの背面に直接照明する、所謂直下ライト型バックライト構造体が用いられる。ここで言う「直下ライト型」という呼称は、液晶表示パネルの背面に設置した導光板の側辺に同じような線状光源を設けて照明を行う、所謂サイドライト型バックライト構造体と対照される表現である。
【０００３】
直下ライト型バックライト構造体では、線状光源として、冷陰極蛍光管（Cold Cathode Fluorescent Lamp：ＣＣＦＬ）が多く用いられる。一般的に、直下ライト型バックライト構造体内では、複数のＣＣＦＬが並列に設置される。しかしながら、ＣＣＦＬでは、１本或いは２本に１つの蛍光管に直接インバータ回路を接続するために、それぞれの管からインバータ回路へ配線する必要があり、複雑な配線を必要としていた。このような構成を示す例として、特許文献１や、特許文献２がある。
【０００４】
近年、ＣＣＦＬの代わりに、外部電極蛍光管（External Electrode Fluorescent Lamp：ＥＥＦＬ）が用いられ始めている。ＥＥＦＬは、既存のＣＣＦＬと異なり、管外に電極を持ち、接続が容易であることに加え、インバータ回路に対して複数本の蛍光管を並列接続することも可能としている。したがってＥＥＦＬでは、この並列接続を生かし、それぞれの管からインバータ回路への接続は、共通配線で行うことが可能となっており、省配線化が可能である。また、使用するインバータ回路の数もＣＣＦＬよりもＥＥＦＬの方が少なくてすむ。このようなＥＥＦＬを用いた例として、特許文献３や特許文献４がある。
【特許文献１】特開２００２−２３１０３４号公報
【特許文献２】特開平６−２３０３８２号公報
【特許文献３】特開２００５−３４７２５９号公報
【特許文献４】特開２００４−１６４９０７号公報
【発明の開示】
【発明が解決しようとする課題】
【０００５】
従来のＣＣＦＬを用いたバックライト構造体においては、蛍光管ごとにインバータ回路があるため、蛍光管が配置される蛍光管搭載用の構造体の裏面にインバータ回路を配置し、更に、その複数のインバータ回路は、各蛍光管端の裏面に位置するように配置され、各蛍光管端からそれぞれのインバータ回路へ最短距離で給電ケーブルを引き回すのが一般的である。そのため、蛍光管搭載用の構造体の蛍光管端に近接した辺では、複数本の給電ケーブルが引き回されることになる。
【０００６】
これに対して、ＥＥＦＬを用いたバックライト構造体では、蛍光管を並列接続できることから、インバータ回路と蛍光管を結ぶ給電ケーブルの数を減らすことができる。したがって、ＥＥＦＬを用いることで、蛍光管に関する組み立て工程は、大幅に簡素化することが可能になる。
【０００７】
しかしながら、ＥＥＦＬをバックライト構造体に用いることは、近年始められたことであり、給電ケーブル配線の引き回し、及びそれを固定するための構造など、組み立て性を向上させるために、まだ改善しなければならない点が多い。
【０００８】
本発明の目的は、蛍光管、特にＥＥＦＬの給電ケーブルを容易に引き回しできるようにしたバックライト構造体を具備した液晶表示装置を提供することにある。
【課題を解決するための手段】
【０００９】
上記目的を達成するため、本発明は、バックライト構造体を構成するサイドモールドフレームの表面側に蛍光管ＥＦＬの給電ケーブル引き回し構造を付与することで該給電ケーブルの引き回しを容易にした。そのための本発明の代表的な解決手段を記述すれば、以下のとおりである。
【００１０】
本発明の液晶表示装置は、液晶表示パネルと、液晶表示パネルの背面に設置したバックライト構造体とから構成される。バックライト構造体は、裏面プレートと枠状のモールドフレームの間に、並列に配置された複数の外部電極蛍光管と、当該外部電極蛍光管を電気的に並列に接続する給電端子を備えたサイドモールドフレームと、前記給電端子と前記外部電極蛍光管を制御するインバータ基板回路とを接続する給電ケーブルと、前記モールドフレーム側に開口がある溝と、前記インバータ回路基板側への開口を有するケーブル引き回し部を有し、前記給電ケーブルは、前記給電端子に一端を接続され、前記ケーブル引き回し部内の溝に勘合され、前記開口を経て前記インバータ回路基板へ至るように設置される。
【発明の効果】
【００１１】
本発明により、組み立てた工程中で表裏裏返すことなく、蛍光管ＥＦＬの給電ケーブルを容易に引き回しでき、組み立て作業性が大幅に向上する。
【発明を実施するための最良の形態】
【００１２】
以下、本発明の最良の実施形態を実施例の図面を参照して詳細に説明する。なお、以下に説明する実施例の各図面において、同一機能を有するものには同一符号を付し、その繰り返しの説明はしない。
【実施例】
【００１３】
図１は、本発明による液晶表示装置で用いられるバックライト構造体の展開斜視図である。このバックライト構造体は、直下ライト型である。本実施例のバックライト構造体は、裏面プレートＲＰＬとモールドフレームＭＬＤとの間に、反射シートＲＦＢ、線状光源としての複数の外部電極蛍光管（以下、蛍光管）ＥＦＬを固定保持し給電する一対のサイドモールドフレームＳＭＬと、複数の蛍光管ＥＦＬの端部間隔を保持する間隔規制板ＳＥＰと、拡散板ＤＦＢと、プリズムシートや拡散シートを積層した光学補償シート類ＯＣＳが配置される。なお、この構成のバックライト構造体では、大サイズの拡散板ＤＦＢの撓みによる照度分布の不均一を抑制するためのスペーサＳＰＣを裏面プレートＲＰＬに植立させ、反射シートＲＦＢに設けた穴を通して拡散板ＤＦＢの裏面に当接させている。そして、スペーサＳＰＣに長尺の蛍光管ＥＦＬの撓みを抑制する枝状突起構造を設けることもできる。図示しない液晶表示パネルは、モールドフレームＭＬＤ上に配置されることになる。また、蛍光管ＥＦＬを制御するインバータ回路基板は、裏面プレートＲＰＬの蛍光管が設置される面と反対側の面に搭載される。
【００１４】
液晶表示装置の組み立てでは、液晶表示パネルとバックライト構造体とをそれぞれの工程で組み立てた後、バックライト構造体の上に液晶表示パネルを重ねて一体化する。バックライト構造体は、図１に示した複数部材を組み立てることで得られる。すなわち、裏面プレートＲＰＬに反射シートＲＦＢを置き、左右両端にサイドモールドフレームＳＭＬを設置して、両者に有する端子ＴＭの間に蛍光管ＥＦＬを橋渡してセットし、間隔規制板ＳＥＰで端子ＴＭ部分をカバーする。間隔規制板ＳＥＰには蛍光管の間に介挿される櫛歯を有する。この間隔板ＳＥＰの上に拡散板ＤＦＢを置き、その上に光学補償シート類ＯＣＳを積層した後、枠状のモールドフレームＭＬＤを設置して、ねじ等で全体を一体に固定する。
【００１５】
本実施例のバックライト構造体は、サイドモールドフレームＳＭＬの図１に矢印Ａで示した構造に特徴を有する。以下、この特徴部分について図２を参照して説明する。図２は、図１の矢印Ａで示したサイドモールドフレームＳＭＬの端部を拡大した図であり、図２（ａ）は上面図（液晶表示パネル搭載面側から見た図）、図２（ｂ）は図２（ａ）を矢印Ｂ方向から見た側面図、図２（ｃ）は図２（ｂ）を矢印Ｃ方向から見た裏面図（インバータ回路基板搭載面側から見た図）である。
【００１６】
サイドモールドフレームＳＭＬには、複数の蛍光管ＥＦＬを並列に接続して給電する端子ＴＭを形成した給電電極ＴＭＢが長手方向の略全長にわたって設置されている。端子ＴＭは蛍光管ＥＦＬの外部電極を受けて両側から弾性保持する如く複数（ここでは、３個）に分割した電極対を図２の紙面に垂直な方向に突出して形成されている。なお、図２（ａ）でも、煩雑さを避けるために、蛍光管ＥＦＬは一本だけ端子ＴＭに装着してある。
【００１７】
給電電極ＴＭＢの端部には給電ケーブルＣＢＬ１、ＣＢＬ２の一端が取り付けられている。また、サイドモールドフレームＳＭＬの側面には、ケーブル引き回し部ＣＢＷが形成されている。このケーブル引き回し部ＣＢＷは、給電ケーブルＣＢＬ１、ＣＢＬ２を嵌め込むための溝が設けられており、その溝の開口は、上面側、即ち液晶表示パネル搭載面側に開けられている。また、ケーブル引き回し部ＣＢＷのコネクタＣＴを引き出す側の端は、サイドモールドフレームＳＭＬの下面側、即ち、インバータ回路基板搭載面側に抜ける開口を備えている。ケーブル引き回し部ＣＢＷの内部には、引き回されるケーブルを横方向から保持する押し込み固定片ＲＳが突出して形成されている。
【００１８】
給電ケーブルＣＢＬ１、ＣＢＬ２の引き回し工程においては、図２（ｂ）および図２（ｃ）に示したように、給電ケーブルＣＢＬ１、ＣＢＬ２を給電電極ＴＭＢの端部に一端を取り付け、コネクタＣＴを取り付けた他端をケーブル引き回し部ＣＢＷの内部を図の左方に引き回す。ケーブルを嵌めるための溝の開口が上面側に形成していることで、給電ケーブルＣＢＬ１、ＣＢＬ２を給電電極ＴＭＢの端部に取り付けた状態のまま、ケーブルを引き回すことが出来る。ケーブル引き回し部ＣＢＷの内部では、押し込み固定片ＲＳの突出端と内壁との間にケーブルＣＢＬ１、ＣＢＬ２を押し込むことで固定する。ケーブルＣＢＬ１、ＣＢＬ２の他端に有するコネクタＣＴは、サイドモールドフレームＳＭＬの下面側に引き出され、図１の裏面プレートＲＰＬの背面に設置されるインバータ回路基板（電源基板）に接続される。
【００１９】
なお、図２では、給電ケーブルＣＢＬ１、ＣＢＬ２の長さが、コネクタＣＴがケーブル引き回し部ＣＢＷを出た近傍になるように示されているが、これは説明を容易にするためであり、実際にはケーブルは他端に有するコネクタＣＴがインバータ回路基板に届くのに充分な長さとされる。
【００２０】
このように、本実施例では、バックライト組み立て構造体を、その組み立て作業の途中で、ケーブルＣＢＬ１、ＣＢＬ２の引き回しのために表裏裏返す必要がないので、組み立て作業がスムーズに行われ、組み立て作業性が大幅に向上する。
【００２１】
図３は、本発明のバックライトを構成する蛍光管ＥＦＬを裏面プレートＲＰＬ上のサイドモールドフレームＳＭＬに設置した状態を説明する平面図である。裏面プレートＲＰＬの内側に反射板ＲＦＢが敷かれ、両短辺上にサイドモールドフレームＳＭＬが設置される。サイドモールドフレームＳＭＬに設けられた端子ＴＭに、蛍光管ＥＦＬが取り付けられる。図３では、右側には蛍光管ＥＦＬを取り付けた状態を示し、左方には蛍光管ＥＦＬが未設置の状態を示す。図３の左右の隅部分を見て明らかなように、蛍光管ＥＦＬの給電ケーブルＣＢＬ１、ＣＢＬ２が、上面側でケーブル引き回し部ＣＢＷの内部に引き回されていることが分かる。
【００２２】
図４は、本発明のバックライト構造体の外観を示す上面図と側面図である。また、図５は、本発明のバックライト構造体の外観を示す斜視図である。図４と図５は、図１で説明した展開斜視図を一体化して示すものである。図３に示したように、サイドモールドフレームＳＭＬに蛍光管ＥＦＬを取り付けた後、図１に示した間隔規制版ＳＥＰを端子ＴＭ部分の近傍に設置し、拡散版ＤＦＢ、光学補償シート類ＯＣＳを重ねる。最上部にモールドフレームＭＬＤを乗せてねじ止めする。
【００２３】
裏面プレートＲＰＬの背面には、インバータ回路基板（電源基板）を収納した電源部ＰＣＢが設置されており、給電ケーブルＣＢＬ１、ＣＢＬ２の他端に有するコネクタＣＴがインバータ回路基板に接続される。ここでは、電源部ＰＣＢを隅部の２箇所に設けているが、この設置場所と個数は任意である。
【図面の簡単な説明】
【００２４】
【図１】本発明による液晶表示装置の実施例を説明するバックライト構造体の展開斜視図である。
【図２】図１の矢印Ａで示したサイドモールドフレームＳＭＬの端部を拡大した図である。
【図３】本発明のバックライトを構成する冷陰極蛍光管を裏面プレート上のサイドモールドフレームに設置した状態を説明する平面図である。
【図４】本発明のバックライト構造体の外観を示す上面図と側面図である。
【図５】本発明のバックライト構造体の外観を示す斜視図である。
【符号の説明】
【００２５】
ＲＰＬ・・・裏面プレート、ＭＬＤ・・・モールドフレーム、ＲＦＢ・・・反射シート、ＥＦＬ・・・蛍光管、ＳＭＬ・・・サイドモールドフレーム、ＳＥＰ・・・間隔規制板、ＤＦＢ・・・拡散板、ＯＣＳ・・・光学補償シート類、ＳＰＣ・・・スペーサ。
【図１】
2008032954.tif 000003
【図２】
2008032954.tif 000004
【図３】
2008032954.tif 000005
【図４】
2008032954.tif 000006
【図５】
2008032954.tif 000007